【事件の表示】
　特願２０００−１０９６９９「光学的情報記録及び／又は再生装置」拒絶査定不服審判事件〔平成１２年１１月　７日出願公開、特開２０００−３１１３５９〕について、次のとおり審決する。
【結　論】
　本件審判の請求は、成り立たない。
【理　由】
１．手続の経緯・本願発明
　本件審判の請求に係る特許出願（以下、「本願」という）は、平成５年４月１２日に出願された特願平５−８４６３７号の一部を、平成１１年７月１３日に新たな出願となされた特願平１１−１９８９０３号の一部を、さらに平成１２年４月１１日付けで出願された分割出願で平成１５年１月２３日付けで拒絶すべきものである旨の査定がなされたものである。そして、平成１５年２月２７日付けで特許法第１２１条第１項の審判が請求され、平成１５年３月２７日付けで手続補正書が提出されたもので、本願請求項に係る発明は、補正された明細書の記載からみて、その特許請求の範囲の請求項１乃至４に記載されたとおりのものと認められるところ、請求項１に係る発明は以下のとおりである。　
　「【請求項１】　ディスク状情報記録媒体を回転させるスピンドルモータを備えるとともに、前記ディスク状情報記録媒体の半径方向に対物レンズを駆動するキャリッジを備え、半導体レーザからの光ビームを前記ディスク状情報記録媒体に対物レンズを通して照射して記録及び／又は再生を行う光学的情報記録及び／又は再生装置において、
　前記スピンドルモータが前記ディスク状情報記録媒体側に向かって移動する際に両者が近接する近接位置を検出する位置検出手段と、前記スピンドルモータが回転されたことを検出する回転検出手段と、前記半導体レーザを発光させたときの該半導体レーザからの光ビーム出力を検出する光検出手段と、前記各手段に接続され前記各手段より出力される全ての信号の受信が完了した後に最初のフォーカスサーチおよびフォーカス制御の開始を許可する制御手段とを備えたことを特徴とする光学的情報記録及び／又は再生装置。」（以下、「本願発明」という。）
　
　
２．刊行物及びその記載
　原査定の拒絶理由で引用された刊行物である特開昭５９−１６１８２号公報（以下、［刊行物１］という。）、実願平２−９８３７６号（実開平４−５８８１３号）のマイクロフィルム（以下、［刊行物２］という。）、特開平４−３６００３３号公報（以下、［刊行物３］という。）及び特開昭６４−８９０６８号公報（以下、［刊行物４］という。）には、それぞれ、以下の記載がある。（下線は当審で付与。）
　［刊行物１］
　光学的情報記録及び／又は再生装置に関する発明である。
　１）本発明は
レーザビームを使用して光学的に記録又は再生を行うためのデイスクに対して最適なディスク駆動装置
　２）
記録媒体ディスクを回転するためのターンテーブルと、前記ターンテーブルを支持して前記ターンテーブルを前記ディスクに接触させる位置と前記ディスクから離間させる位置との間で移動させるターンテーブル移動機構と、前記ディスクを前記ターンテーブルに固定するためのクランパと、前記クランパを保持して前記クランパを前記ターンテーブルに接触又は近接させる位置と前記ターンテーブルから離間させる位置との間で移動させるクランパ移動機構と、前記ターンテーブル移動機構と前記クランパ移動機構との両方に関連し、その作動で前記ディスクを保持するように前記ターンテーブルと前記クランパとを互いに接近させ、その非作動で前記ディスクの保持を解除するように前記ターンテーブルと前記クランパとを互いに離間させる作動機構と、前記作動機構を作動状態とするための付勢手段とから成るディスク駆動装置
　３）ディスク(４)をジャケット(５)に挿入したまま、ジャケット(５)の開口が第１図で右側になるようにホルダ（５８）に入れて、ホルダ(58)が閉じると、第７図で説明したように、可撓性を有するジャケット(５)が自動的に開く。同時にスイッチ(63)がオンになり、これに基づきモータ(46)が駆動される。送りモータ(46)が駆動されると、まず、ディスク把持装置(40)が第１図及び第２図で左方に移送される。これによりシャッタ(47)は右方に移動し、シャッタ(47)がホトカプラ(49)に至った点で把持装置(40)によるディスク(４)の把持が可能となる。（第５頁左上欄第７行〜右上欄第２行目）
　４）シャッタ(47)でホトカプラ(49)の光路が遮断されると、第８図のプランジャソレノイド(56)を付勢するためのフリップフロップ（図示せず）がセットされ、プランジャソレノイド(56)がオン状態になり、把持装置(40)によってディスク(４)が把持される。上述の如くホトカプラ(49)にシャッタ(47)が至ると、同時に送りモータ(46)を反転制御する信号が発生し、把持装置(40)はディスク(４)を把持して第１図で右方に移動する。把持装置(40)がディスク(４)をターンテーブル(１)とクランパ(３)との間に移送した位置に相当するホトカプラ(50)の位置にシャッタ(47)が至ると、第８図のプランジャソレノイド(56)をオンに保つためのフリップフロップにリセット信号が付与され、このプランジャソレノイド(56)が非付勢となり、把持装置(40)によるディスク(４)の把持が解除される。（第５頁右上欄第２行〜左下欄第２行目）
　５）把持装置(40)の右動は継続されるので、把持装置(40)は板バネ(65)を介して第１の回動アーム(19)を押圧し、これを反時計方向に回動させる。この結果、ピン(32)が回動アーム(19)で押圧され、作動レバー(21)が第１図で時計方向に回動し、この作動レバー(21)が支持体(７)のピン(26)を第１図で下方に押圧する。これにより、支持体(７)は案内シャフト(８)(９)にガイドされて、第１図で下方に変位し、ターンテーブル(１)がディスク(４)に接近する。第１の回動アーム(19)が上述の如く回動すれば、同時に、第２図の回動アーム(20)が第１図で時計方向に回動し、クランパ保持部材(14)を第１図で反時計方向に回動させ、クランパ(３)をディスク(４)に接近させる。上述の如くターンテーブル(１)が第１図で下方に変位すると、ディスク案内部材(66)も下方に変位し、その傾斜面(67)でディスク(４)の週縁が押圧され、ディスク位置が大略決定され、しかる後、ターンテーブル(１)とクランパ(３)とでディスク(４)がクランプされる。第１の回動アーム(19)が反時計方向に回動すると、ロックアーム(22)は第１図で時計方向に回動し、ついに第３図に示すロック状態に至る。（第５頁左上欄第２行〜右下欄８行目）
　６）
スイッチ(64)は第１の回動アーム(19)がロック状態に至った時に作動し、このスイッチ出力で送りモータ(46)の付勢の停止制御がなされる。また、スイッチ(64)の作動出力に基づいてディスクモータ(２)を付勢する制御がなされ、ディスク(４)の回転が開始する
　７）また図示せぬ
光学ピックアップ手段により、信号の再生が行われる
　
　以上の記載事項及び図面の記載を総合勘案して整理すると、要するに、刊行物１には以下の発明が記載されているものと認める。
  「記録媒体ディスク(４)を回転するためのターンテーブル(１)と、前記ターンテーブル(１)を支持して前記ターンテーブル(１)を前記ディスク(４)に接触させる位置と前記ディスク(４)から離間させる位置との間で移動させるターンテーブル移動機構(６)と、前記ディスク(４)を前記ターンテーブル(１)に固定するためのクランパ(３)と、前記クランパ(３)を保持して前記クランパ(３)を前記ターンテーブル(１)に接触又は近接させる位置と前記ターンテーブル(１)から離間させる位置との間で移動させるクランパ移動機構(13)と、前記ターンテーブル移動機構(６)と前記クランパ移動機構(13)との両方に関連し、その作動で前記ディスクを保持するように前記ターンテーブル(１)と前記クランパ(３)とを互いに接近させ、その非作動で前記ディスク(４)の保持を解除するように前記ターンテーブル(１)と前記クランパ(３)とを互いに離間させる作動機構と、前記作動機構を作動状態とするための付勢手段とから成るレーザビームを使用して光学的に記録又は再生を行うためのディスク駆動装置において、  　
　ターンテーブル(１)とクランパ(３)とでディスク(４)がクランプされ回転アーム(19)が反時計方向に回動してロック状態に至った時に、スイッチ(64)が作動し、このスイッチ出力で送りモータ(46)の付勢の停止制御がなされ、スイッチ(64)の作動出力に基づいてディスクモータ(２)を付勢する制御がなされ、ディスク(４)の回転が開始され、光学ピックアップ手段により、信号再生が行われる光学的情報記録及び／又は再生装置。」（以下、「刊行物１の発明」という。）
　
　［刊行物２］
　１）ディスクをローディングし、所定位置に装着して再生するディスクプレーヤにおいて、
ディスクを収納装着駆動する駆動手段と、該駆動手段稼働中にピックアップを内周方向に移動させる移動手段と、前記駆動手段により駆動されたディスクが所定位置に装着されたことを検出する装着検出手段と、前記移動手段により移動されたピックアップが所定位置に来たことを検出する位置検出手段と、前記装着検出手段と前記移動手段との出力によりフォーカス動作を行うフォーカス動作手段と、
　
　［刊行物３］
　【００２８】以上の構成で、いまオペレータが所定の操作で、
この光ディスク装置を起動して、光ディスクカートリッジ３を装着したとする。すると、光ディスク装置は、ターンテーブル５２に光ディスク３１をチャッキングして、その光ディスク３１を回転駆動を開始すると共に、所定の制御動作を開始する。
　【００２９】図３は、この制御動作を示している。すなわち、この光ディスク装置は、起動すると、ホスト側装置からのアクセス面選択コマンドやリード／ライトコマンドの受信を監視する（処理２０１、処理２０１のＮより処理２０２、処理２０２のＮより処理２０１へ）。
　【００３０】データの記録・再生を行なう場合には、ホスト側装置からアクセス面選択コマンドが送出されて、次にリード／ライトコマンドが送出される。
　【００３１】いま、アクセス面選択コマンドが送出されたとすると（処理２０１のＹ）、レーザ光の発射を停止する。すなわち、半導体レーザ素子８１をまだ駆動していない場合はそのままにする一方、すでに駆動している場合は一旦駆動を停止する（処理２０３）。
　【００３４】次いで、移動光学部６を、図１の待避位置Ｌ６に示すように、光ディスク３１のディスク面の外側に移動する（処理２０６）。そして、
半導体レーザ素子８１によるレーザ光の出射を開始して（処理２０７）、受光素子８８より出力されるモニタ信号Ｍｏのレベルをチェックする（処理２０８）。
　【００３８】
受光素子８８は、入射したレーザ光の検知レベルをモニタ信号Ｍｏとして出力する。本実施例では、このときの検知レベルが予め設定されている。ここで、モニタ信号Ｍｏが、予め設定されたレベルで得られた場合（処理２０８のＹ）、半導体レーザ素子８１の出射光量の調節を開始する。すなわち、この場合、レベル補正手段１０７１は、モニタ信号Ｍｏを一定レベルに補正し、光量調節手段１０７２は、その補正した信号レベルが一定になるように半導体レーザ素子８１の駆動電流を制御する（処理２０９）。
　【００３９】次いで、
切換回路１０４を移動光学部７側に切り換えて、サーボ制御回路１０３の制御動作を開始する。
　
　［刊行物４］
　ディスクを移載するターンテーブルをスピンドルモータと共に垂直上下方向に上昇下降させる装脱方法及びその装置に関するもので、スピンドルモータを昇降する装置及び該装値の位置検出を行う発明で、以下の記載がある。
　１）（１）キャビネットの前面から内奥の装填位置までディスクを水平に挿入したのち、ターンテーブルを垂直上方に上昇させ、前記装填位置に保持されたディスクを前記ターンテーブル上に移載し、・・・（中絡）・・・ディスクの装脱方法。
　（２）前記
ターンテーブルをスピンドルモータと共に垂直上下に上昇下降させる
　２）本発明は、ＣＤ（コンパクトディスク）プレーヤ・ＬＤ（レーザディスク）プレーヤ等のディスクプレーヤにおけるディスクの装脱方法及びその装置に関する。（第１頁右下欄第１０行〜第１３行目）
　３）トレイ１１の側方部には、前後の間隔をおいてタクトスイッチ等の検出スイッチ１７、１８が配置されている、この検出スイッチ１７、１８は、トレイ１１の側方に突出する作動片１１１によって、トレイ１１が前後方向の移動終端まで移動されたときにオン・オフの作動が行われる。この検出スイッチ１６、１７のオン・オフによってトレイ１１のロードイン・ロードアウトが検出され、トレイ１１を駆動するモータ１５が駆動停止される。
　一方、キャビネット１０の内奥下段のベース下方には、
一対のガイドシャフト２０、２０が垂直に立設されている。ガイドシャフト２０、２０には、スピンドルモータ２１が上下に摺動可能に支持されている。スピンドルモータ２１は、スピンドル軸２１１を垂直上向きにして上下に移動可能に支持されている。
　スピンドルモータ２１の側方部には、駆動モータ２３が配置されている。駆動モータ２３の駆動軸には、ギア２４１が取付けられている。このギアから順にギア列が組み付けられ、減速ギア系２４が形成されている。減速ギア系２４の終端には、ピニオン２４２が組み付けられている。ピニオン２４２は、水平動可能に支持されたスライド板２５に設けたラックギア２５１に噛み合わされている。スピンドルモータ２１の側部にレバー２６が上下に回動可能に支持されており、このレバー２６の一端にスライド板２５の中間部がスプリング２７を介して接続されている。レバー２６の他端には、先端が開口する長孔２６１が形成されており、この長孔２６１を介してスピンドルモータ２１の側部に突出されたピン２１２に連結されている。スピンドルモータ２１は、駆動モータ２３の駆動により、減速ギア系２４・ピニオン２４２・ラックギア２５１を介してスライド板２５が水平方向に移動されると、レバー２６の回動を介してガイドシャフト２０、２０に沿う上下に移動される。
このスピンドルモータ２１の上下方向への移動によってターンテーブル２２が一体で垂直に上下動される。スライド板２５の移動方向の前後には、タクトスイッチ等の検出スイッチ２８、２９が配置されている。この検出スイッチ２８、２９は、スライド板２５の往復移動によってオン・オフ作動され、そのオン・オフの信号を受けてスピンドルモータ２１が上昇端に位置されたときと、下降端に位置されたときに駆動モータ２３が停止される。
　４）スピンドルモータ２１の上昇は、ターンテーブル２２の上面がトレイ１１の上面よりもやや上方に移動した位置で停止される。スライド板２５は、駆動モータ２３の駆動によって、スプリング２７のばね圧に抗してさらに移動され、その一端で検出スイッチ２８が押されてオンになる。この検出スイッチ２８のオン信号によって、駆動モータ２３が停止される。こうして、ターンテーブル２２上に載せ得られたディスクＤが装填位置まで垂直下方に降下され、セットされる。同時に又は時間差においてディスククランパ３０が下降され、ディスクＤがターンテーブル２２上にクランプされる。（第４頁右上欄第１５行〜左下欄第７行目）
　
　
３．対比・判断
　本願発明と上記刊行物１の発明とを対比すると、
　刊行物１の発明において、「記録媒体ディスク(４)を回転するためのターンテーブル(１)」「ディスクモータ(２)を付勢する制御がなされ、ディスク(４)の回転が開始され」は、本願発明の「ディスク状情報記録媒体を回転させるスピンドルモータを備える」に対応ないし相当する。
　刊行物１の発明において、「レーザビームを使用して光学的に記録又は再生を行うためのディスク駆動装置」「光学ピックアップ手段により、信号再生が行われる光学的情報記録及び／又は再生装置」は、本願発明の「前記ディスク状情報記録媒体の半径方向に対物レンズを駆動するキャリッジを備え、半導体レーザからの光ビームを前記ディスク状情報記録媒体に対物レンズを通して照射して記録及び／又は再生を行う光学的情報記録及び／又は再生装置」に対応ないし相当する。
　刊行物１の発明において、「前記ターンテーブル(１)を支持して前記ターンテーブル(１)を前記ディスク(４)に接触させる位置と前記ディスク(４)から離間させる位置との間で移動させるターンテーブル移動機構(６)」「ターンテーブル(１)とクランパ(３)とでデスク(４)がクランプされ回転アーム(19)が反時計方向に回動してロック状態に至った時に、スイッチ(64)が作動し、このスイッチ出力で送りモータ(46)の付勢の停止制御がなされ、」の各事項において、ターンテーブルには記録媒体ディスクを回転するためのモータを載置していて、スイッチ(64)の機能は位置検出手段であるから、これは本願発明の「前記スピンドルモータが前記ディスク状情報記録媒体側に向かって移動する際に両者が近接する近接位置を検出する位置検出手段と、」に対応ないし相当する。
　また、刊行物１の発明において、「スイッチ(64)の作動出力に基づいてディスクモータ(２)を付勢する制御がなされ、ディスク(４)の回転が開始され、光学ピックアップ手段により、信号再生が行われる」は、少なくとも位置検出後に回転検出をもって信号再生が行われる記載であるから、これは本願発明の「位置検出手段と、前記スピンドルモータが回転されたことを検出する回転検出手段」に対応ないし相当する。
　
　要するに、本願発明と刊行物１の発明との［一致点］及び［相違点］は以下のとおりである。
　［一致点］　
　「ディスク状情報記録媒体を回転させるスピンドルモータを備えるとともに、前記ディスク状情報記録媒体の半径方向に対物レンズを駆動するキャリッジを備え、半導体レーザからの光ビームを前記ディスク状情報記録媒体に対物レンズを通して照射して記録及び／又は再生を行う光学的情報記録及び／又は再生装置において、
　前記スピンドルモータが前記ディスク状情報記録媒体側に向かって移動する際に両者が近接する近接位置を検出する位置検出手段と、前記スピンドルモータが回転されたことを検出する回転検出手段と、を備えたことを特徴とする光学的情報記録及び／又は再生装置」
　
　［相違点］
　フォーカスサーチおよびフォーカス制御の開始を許可する制御手段のタイミングであるが、本願発明では「位置検出手段と、前記スピンドルモータが回転されたことを検出する回転検出手段と、」に加えて、「前記半導体レーザを発光させたときの該半導体レーザからの光ビーム出力を検出する光検出手段と、前記各手段に接続され前記各手段より出力される全ての信号の受信が完了した後に最初のフォーカスサーチおよびフォーカス制御の開始を許可する制御手段とを備えた」構成であるものの、刊行物１記載の発明のものには、位置検出後に回転検出をもって信号再生が行われることは示されているが、さらに光検出手段、との全ての信号の受信が完了した後に最初のフォーカスサーチおよびフォーカス制御の開始を許可する制御手段を備えている構成は特には示されていない点。
　
　［判断］
　上記したように、刊行物１には、スピンドルモータが前記ディスク状情報記録媒体側に向かって移動する際に両者が近接する近接位置を検出する位置検出手段と、前記スピンドルモータが回転されたことを検出する回転検出手段と、を備えたことを条件に光学的ピックアップ手段により、信号の記録及び／又は再生を行うまでの記載がある。
　ところで、信号の記録及び／又は再生を実行していく際にフォーカスサーチ及びフォーカス制御の開始を許可する前提条件として、ディスクの装着を確認（本願発明のものも、スピンドルモータの移動における位置検出は、間接的なディスクの確認でもある）した後、スピンドルモータの回転、ないしは半導体レーザからの光ビーム出力を検出する光検出手段の確認等をもって実行していくことは、上記刊行物２（上記の下線部分を参照）、及び、刊行物３（サーボ制御の制御動作を開始する前とはフォーカスサーチ及びフォーカス制御の開始前に相当するものである。上記の下線部分を参照）に記載がある、また他に周知文献をあげるとすれば、
　(i)特開平３−２３５２２３号公報には“円盤状記録坦体の回転速度が規定値以上であるかどうかを検出する回転検出器を備え、レーザ不良判別手段は、前記回転検出器からの検出信号により前記円盤状記録坦体の回転速度の立ち上がりを確認後、レーザパワー制御回路を記録パワーに切り変え、光量検出器の検出信号によりフォーカス制御回路を駆動させるか否かを選択する構成としたものである。”（第２頁右上欄第８行〜第１５行目）。
　(ii)特開平３−１０４０２０号公報には“モータ停止状態で光ディスクや光磁気ディスク等の媒体の掛け替えがローディング機構により行われると、ローディング完了の検出信号に基づいてスピンドルモータを起動させる。スピンドルモータは例えば3600rpmの一定速度に向けて回転が立ち上げられ、規定回転に到達した後に、規定のリードパワー、ライトパワーが得られるようにヘッドのレーザダイオードＬＤを調整する発光調整、更には対物レンズを所定の範囲でサーチ移動してフォーカスサーボを引き込むフォーカス調整等を行い、これら一連の初期化調整処理が終了した後に書込／読出可能なレディオン状態としている。（第２頁左上欄第８行〜右上欄第１行目）”、
“今、光ディスクに装着しているカセットデッキを取り出して新たなカセットデッキを装着すると、図示しないローディング機構によりスピンドルモータ１４に光ディスク１０が装着され、そのローディング終了の検出を受けて第３図のステップＳ１に示すように、ＭＰＵ１６はモータ制御回路１２にスピンドルモータのオン制御信号を指令する。・・・（中略）・・・Ｓ１でスピンドルモータの起動が行われると次のＳ２に進み、モータ回転の立ち上がり中に先ずレーザダイオードＬＤの発光調整を行う。・・・（中略）・・・この時の発光量はフォトダイオードによる発光量検出信号との偏差に応じた発光制御となり、リード、ライト、イレーズの各発光調整で得られた駆動電流値がその後のリード、ライト及びイレーズの各々における発光制御値としてセットされる。・・・（中略）・・・続いてＳ３に進んでフォーカスサーボ調整が行われる。”（第３頁右下欄第２行〜第４右上欄第３行目及び第４図）。
　(iii)特開昭６２−１５４２３４号公報には“光ビームスポットが略同一個所に比較的長い時間照射されることになり、感度の良い光ディスクの場合には前記の如くレーザパワーの小なる再生モード時においても、回転し始めるまでの間にその照射部分の温度が上がり、既記録情報を損傷したりする等の不具合があった。また、何らかの原因で光ディスクが回転しない場合には、明らかに光ディスクが損傷されてしまう。このため、従来は光ディスクが所定の回転数に達してからフォーカスサーボをオンとしていた。”（第２頁左上欄第８行〜第１８行目）、
等があり、上記相違点は周知の構成と認められるから、刊行物１の発明のものに適宜採用して本願発明のようにしていくことは当業者が容易に想到できたものである。
　また、刊行物１のものと、大要、実質同様な構成を有する刊行物４であるが、上記［刊行物４］（２）での“ターンテーブルをスピンドルモータと共に垂直上下に上昇降下させる”は本願発明の「ディスク上情報記録媒体を回転させるスピンドルモータを備える」に、また同（３）での“本発明は、ＣＤ（コンパクトディスク）プレーヤ・ＬＤ（レーザディスク）プレーヤ等のディスクプレーヤにおけるディスクの装脱方法及びその装置に関する”は図面と当該分野の技術常識、ないしはディスク駆動装置の構成上、本願発明の「ディスク状情報記録媒体の半径方向に対物レンズを駆動するキャリッジを備え、半導体レーザからの光ビームを前期ディスク状情報記録媒体に対物レンズを通して照射して記録及び／又は再生を行う光学的情報記録媒体及び／又は再生装置」に、さらに同（３）での“このスピンドルモータ２１の上下方向への移動によってターンテーブル２２が一体で垂直に上下動される。スライド板２５の移動方向の前後には、タクトスイッチ等の検出スイッチ２８、２９が配置されている。この検出スイッチ２８、２９は、スライド板２５の往復移動によってオン・オフ作動され、そのオン・オフの信号を受けてスピンドルモータ２１が上昇端に位置されたときと、下降端に位置されたときに駆動モータ２３が停止される”では、特に「検出スイッチ２８」の持つ機能は、本願発明の「スピンドルモータが前記ディスク状情報記録媒体側に向かって移動する際に両者が近接する近接位置を検出する位置検出手段」に、それぞれ対応ないし相当するものであるから、当該刊行物４を主体に、刊行物１ないし刊行物３及び上記の周知技術を適宜採用して本願発明のようにしていくことも当業者が適宜容易に想到できるものである。
（なお、検出スイッチの機能については、必要があれば、本願発明の分割出願の基礎であるとなる特願平５−８４６３７号に係る平成１５年（行ケ）第４４９号　審決取消請求事件の判決文−平成１６年８月２４日判決言渡−を参照のこと）　
　
４．むすび
　以上のとおり、本願請求項１に係る発明は、上記刊行物１記載の発明に刊行物２，刊行物３ないし周知技術、または刊行物４記載のものに刊行物１〜刊行物３ないし周知技術を勘案していくことで当業者が容易に発明をすることができたものであるから、特許法第２９条第２項の規定により特許を受けることができない。
　したがって、本願はその余の請求項に係る発明に論及するまでもなく拒絶されるべきものである。
　
　よって、結論のとおり審決する。